(57)【要約】【課題】本発明は、従来必要とされた変換回路等の回路を追加することなく、インターレース方式又はプログレッシブ方式の映像信号をＣＲＴに表示することが可能な映像表示装置を提供することを目的とするものである。【解決手段】水平偏向回路は、２つのＳ字コンデンサＣ１及びＣ２と、２つの共振コンデンサＣ３及びＣ４を備えており、ＦＢＴ１６には２つの異なるレベルの電圧Ｖ１又はＶ２が供給されるようになっている。ＣＰＵ１０が表示する映像信号の走査方式を判定すると、トランジスタＴＲ１、ＴＲ２及びＴＲ３をオンオフ制御して判定された走査方式に対応したＳ字コンデンサ、共振コンデンサ及びＦＢＴ１６への供給電圧を切り換えるようにする。【選択図】図２
2005167308.tif 000002
【特許請求の範囲】
【請求項１】
映像を表示するＣＲＴと、インターレース方式の映像信号又はプログレッシブ方式の映像信号をＲＧＢ信号に変換して前記ＣＲＴに出力する映像信号処理回路と、該映像信号処理回路から同期信号を受信して前記ＣＲＴに偏向信号を出力する偏向回路と、前記映像信号処理回路及び前記偏向回路を制御する制御回路とを備えた映像表示装置であって、
前記偏向回路は、インターレース方式に対応した第一偏向手段と、プログレッシブ方式に対応した第二偏向手段と、前記第一偏向手段及び前記第二偏向手段を切り換える切換手段とを備えており、
前記制御回路は、インターレース方式の映像信号及びプログレッシブ方式の映像信号のいずれが前記映像信号処理回路に入力されるか判定する判定手段と、該判定手段の判定結果に基づいて前記切換手段を切り換える切換制御手段とを備えている
ことを特徴とする映像表示装置。
【請求項２】
前記第一偏向手段及び前記第二偏向手段は、それぞれＳ字コンデンサ及び共振コンデンサを備えていることを特徴とする請求項１に記載の映像表示装置。
【発明の詳細な説明】
【技術分野】
【０００１】
本発明は、テレビジョン放送やＤＶＤ等の再生装置から出力されるインターレース方式の映像信号とプログレッシブ方式の映像信号とを表示可能とする映像表示装置に関する。
【背景技術】
【０００２】
従来の映像表示装置は、テレビジョン放送を受信して映像表示を行うために、インターレース方式の映像信号処理を行って受像管であるＣＲＴに表示するようにしている。近年静止画や文字表示に適しているプログレッシブ方式が普及してきており、２つの方式が並存した状況となっている。そのため、２つの方式の映像信号をＣＲＴに表示するための開発がなされてきている。
【０００３】
例えば、特許文献１では、ディスクから読み出されたノンインターレース走査方式の映像データを複合映像信号生成回路によりテレビ方式に準拠した標準複合映像信号に同期させて信号処理し、テレビ方式に合致したインターレース走査方式の複合映像信号を生成する点が記載されている。また、特許文献２では、入力された映像信号がインターレース方式の映像信号であるのか、ノンインターレース方式の映像信号であるのかを判別し、判定結果に対応してインターレース用処理回路又はノンインターレース用処理回路を動作させる点が記載されている。また、特許文献３では、ディスク再生部から出力された映像信号からインターレース信号を生成するインターレース信号生成回路と、映像信号からプログレッシブ信号を生成するプログレッシブ信号生成回路と、映像信号が２４コマ／秒と３０コマ／秒のいずれであるかを検出するコントローラと、コントローラの制御により映像信号が２４コマ／秒である時、プログレッシブ信号を選択して出力し、また映像信号が３０コマ／秒である時、インターレース信号を選択して出力する切替回路とから構成される点が記載されている。
【特許文献１】特開平８−９４１７号公報
【特許文献２】特開平８−２５１５４５号公報
【特許文献３】特開２００２−２４７５２０号公報
【発明の開示】
【発明が解決しようとする課題】
【０００４】
上述した先行文献のように、映像表示装置をどちらか一方の走査方式の映像信号に対応した設定とすると、これと異なる走査方式の映像信号については変換回路等により走査方式を変換する必要があり、そのための変換回路等を追加しなければならない。また、映像信号の変換により画質が劣化するといった問題点が生じる。
【０００５】
映像信号を機器で表示可能な走査方式かどうかを判定して表示不可能と判定されると表示可能な走査方式に変換するしなければならない。したがって、そのために走査方式を変換する処理回路が必要となり、また切換回路を追加しなければならない。
【０００６】
そこで、本発明は、従来必要とされた変換回路等の回路を追加することなく、２つの走査方式の映像信号をＣＲＴに表示することが可能な映像表示装置を提供することを目的とするものである。
【課題を解決するための手段】
【０００７】
本発明に係る映像表示装置は、映像を表示するＣＲＴと、インターレース方式の映像信号又はプログレッシブ方式の映像信号をＲＧＢ信号に変換して前記ＣＲＴに出力する映像信号処理回路と、該映像信号処理回路から同期信号を受信して前記ＣＲＴに偏向信号を出力する偏向回路と、前記映像信号処理回路及び前記偏向回路を制御する制御回路とを備えた映像表示装置であって、前記偏向回路は、インターレース方式に対応した第一偏向手段と、プログレッシブ方式に対応した第二偏向手段と、前記第一偏向手段及び前記第二偏向手段を切り換える切換手段とを備えており、前記制御回路は、インターレース方式の映像信号及びプログレッシブ方式の映像信号のいずれが前記映像信号処理回路に入力されるか判定する判定手段と、該判定手段の判定結果に基づいて前記切換手段を切り換える切換制御手段とを備えていることを特徴とする。さらに、前記第一偏向手段及び前記第二偏向手段は、それぞれＳ字コンデンサ及び共振コンデンサを備えていることを特徴とする。
【発明の効果】
【０００８】
上記のような構成を有することで、映像信号処理回路でインターレース方式の映像信号又はプログレッシブ方式の映像信号をＣＲＴにおいて表示可能なＲＧＢ信号に変換しているので、それぞれの走査方式の映像信号を１つの走査方式に統一する必要がなくなり、画質の劣化が生じることはない。そして、偏向回路でインターレース方式に対応した第一偏向手段及びプログレッシブ方式に対応した第二偏向手段を制御回路の判定結果に基づいて切り換えるようにしているので、映像信号の走査方式に対応した偏向が行われてＣＲＴに正しく表示が行われるようになる。
【０００９】
したがって、映像信号処理に走査方式を変換するための変換回路といった回路を追加することなく２つの走査方式の映像信号を表示でき、さらに画質の低下も発生することはない。
【００１０】
そして、第一偏向手段及び第二偏向手段は、それぞれの走査方式に対応したＳ字コンデンサ及び共振コンデンサといった回路構成を備えることでそれぞれの走査方式で確実に偏向動作を行うことができる。
【発明を実施するための最良の形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る実施形態に関するブロック図である。この例では、テレビジョン受像機にＤＶＤ１が内蔵されており、テレビジョン放送信号を受信するチューナ２及びＶＴＲ等の再生装置３からインターレース方式の映像信号が送信され、ＤＶＤ１からはプログレッシブ方式又はインターレース方式の映像信号が選択されて送信されるようになっている。
【００１３】
チューナ２及び再生装置３から送信される映像信号はデコーダ回路４に入力されて、コンポジット信号から輝度信号、色差信号及び同期信号を分離してコンポーネント信号として出力される。デコーダ回路４から出力されたインターレース方式のコンポーネント信号又はＤＶＤから出力されたプログレッシブ方式又はインターレース方式のコンポーネント信号はＲＧＢ変換回路５に入力されて、ＣＲＴ７で表示可能なＲＧＢ信号に変換されてＣＲＴドライバ回路６に出力される。ＣＲＴドライバ回路６は、ＣＲＴ７に駆動信号を出力してＲＧＢ信号に応じて電子銃を駆動する。
【００１４】
一方、ＲＧＢ変換回路５は、コンポーネント信号から同期信号を偏向回路８に送信し、偏向回路８は同期信号に基づいて偏向コイル９を駆動してＣＲＴ７内の電子銃から放出される電子ビームを偏向させ表示面を走査させるようにする。
【００１５】
ＣＰＵ１０は、装置全体の制御処理を行い、ＤＶＤ１、デコーダ回路４、ＲＧＢ変換回路５及び偏向回路８との間で制御信号を送受信する。また、ＣＰＵ１０には、記憶部としてＲＯＭ１１及びＲＡＭ１２が接続されており、ＲＯＭ１１には制御に必要なプログラム等が記憶され、ＲＡＭ１２は制御に必要な設定データ等の各種データが記憶されている。また、ＣＰＵ１０には、操作情報入力部１３が接続されており、リモコン１４で入力された操作情報が操作情報入力部１３を介してＣＰＵ１０に送信されるようになっている。
【００１６】
図２は、偏向回路８における水平偏向回路に関する回路構成図である。ＣＲＴ７に高電圧を印加するフライバックトランス（以下ＦＢＴと略称する。）１６が接続されており、偏向コイル９には、リニアリティコイルＬ１が接続されている。リニアリティコイルＬ１には、２つのＳ字コンデンサＣ１及びＣ２が並列して接続されており、Ｓ字コンデンサＣ２にはトランジスタＴＲ１のコレクタが接続されている。
【００１７】
トランジスタＴＲ１のエミッタ及びＳ字コンデンサＣ１にはＦＢＴ１６に接続されるとともに２つの共振コンデンサＣ３及びＣ４が並列して接続されており、共振コンデンサＣ４にはトランジスタＴＲ２のコレクタが接続されている。そして、トランジスタＴＲ２のエミッタ及び共振コンデンサＣ３は接地されている。
【００１８】
ＦＢＴ１６には、電源装置１５から２つの異なるレベルの電圧Ｖ１又はＶ２が供給されるようになっており、電圧Ｖ２のラインは、トランジスタＴＲ３及び逆流防止用のダイオードＤ１を介してＦＢＴ１６に接続されている。
【００１９】
トランジスタＴＲ１、ＴＲ２及びＴＲ３のベースはＣＰＵ１０に接続されており、ＣＰＵ１０からの切換信号により同時にこれらのトランジスタがオン、オフするようになっている。
【００２０】
ＲＧＢ変換回路５から同期信号に同期した水平駆動パルスが入力される端子Ｇは、トランジスタ及びトランスを介してＳ字コンデンサと共振コンデンサとの間に接続される。端子Ｇに入力された水平駆動パルスはトランジスタ２個及びトランスにより増幅されてＳ字コンデンサ及び共振コンデンサに入力され、Ｓ字コンデンサの容量により表示画面の水平方向の中央位置及び左右の伸縮が補正される。また、共振コンデンサの容量により水平方向の画面サイズやＦＢＴ１６の印加電圧を補正する。
【００２１】
インターレース方式とプログレッシブ方式との同期信号は、垂直方向の周波数はともに６０Ｈｚで共通であるが、水平方向の周波数はインターレース方式が１５．７５ＫＨｚ、プログレッシブ方式が３１．５ＫＨｚで異なっている。そのため、本実施形態では、図２の水平偏向回路において、プログレッシブ方式の水平周波数に対応してＳ字コンデンサＣ１、Ｃ２及び共振コンデンサＣ３、Ｃ４が設けられており、またインターレース方式の水平周波数に対応してＳ字コンデンサＣ１及び共振コンデンサＣ３が設けられている。
【００２２】
そして、ＣＰＵ１０からの制御信号によりトランジスタＴＲ１、ＴＲ２及びＴＲ３がオンされると、プログレッシブ方式に対応してＳ字コンデンサＣ１、Ｃ２の合成容量及び共振コンデンサＣ３、Ｃ４の合成容量が働くようになりＦＢＴ１６には電圧Ｖ２が供給されてプログレッシブ方式に対応した偏向動作が行われるようになる。また、ＣＰＵ１０からの制御信号によりトランジスタＴＲ１、ＴＲ２及びＴＲ３がオフ状態になると、インターレース方式に対応したＳ字コンデンサＣ１及び共振コンデンサＣ３が働くようになりＦＢＴ１６には電圧Ｖ１が供給されてインターレース方式に対応した偏向動作が行われるようになる。
【００２３】
したがって、本実施形態では、第一偏向手段としてＳ字コンデンサＣ１、共振コンデンサＣ３及びＦＢＴ１６への供給電圧Ｖ１が相当し、第二偏向手段としてＳ字コンデンサＣ１及びＣ２、共振コンデンサＣ３及びＣ４並びにＦＢＴ１６への供給電圧Ｖ２が相当する。また、切換手段としてトランジスタＴＲ１、ＴＲ２及びＴＲ３が相当する。
【００２４】
本実施形態において、内蔵されたＤＶＤがインターレース方式又はプログレッシブ方式の映像信号を選択的に出力可能なことから、まず、メニュー画面で操作者がどちらの方式で画面表示を行うかリモコン１４を用いて設定する。リモコン１４により設定された方式設定情報は、操作情報入力部１３を介してＣＰＵ１０に送信されてＲＡＭ１２に記憶される。そして、ＣＰＵ１０は映像処理を開始する場合に、まずデコーダ回路４に映像信号が送信されたか又はＤＶＤが再生を開始したかをチェックし、デコーダ回路４に映像信号が送信された場合にはインターレース方式であると判定する。ＤＶＤが再生を開始している場合には方式設定情報を読み出して、どちらの方式が選択されたか判定し、選択された方式による映像信号をＤＶＤから出力するように制御する。そして、判定された方式に基づいて偏向回路８に制御信号を送信してトランジスタＴＲ１、ＴＲ２及びＴＲ３のオン・オフを行い、判定された方式に対応したＳ字コンデンサ、共振コンデンサ及びＦＢＴ１６への供給電圧に切り換えるように制御を行う。
【００２５】
以上のように、ＲＧＢ変換回路では、インターレース方式の映像信号又はプログレッシブ方式の映像信号が処理されるため、どちらかの方式に予め周波数変換を行う必要がなくなる。また、どちらの方式の映像信号が入力されたかを判定して偏向回路を判定された方式に対応して切り換えるようにしているので、いずれの方式の映像信号も劣化することなく画面表示することが可能となる。
【図面の簡単な説明】
【００２６】
【図１】本発明に係る実施形態に関するブロック図である。
【図２】水平偏向回路に関する回路構成図である。
【符号の説明】
【００２７】
１    ＤＶＤ
２    チューナ
３    再生装置
４    デコーダ回路
５    ＲＧＢ変換回路
６    ＣＲＴドライバ回路
７    ＣＲＴ
８    偏向回路
９    偏向コイル
10    ＣＰＵ
11    ＲＯＭ
12    ＲＡＭ
13    操作情報入力部
14    リモコン
15    電源装置
16    ＦＢＴ
【図１】
2005167308.tif 000003
【図２】
2005167308.tif 000004